(57)【要約】【課題】組付作業性を向上させることができるモータ構造を提供する。【解決手段】モータ構造１０では、ハウジング３２にストッパ７６が設けられており、ステータ２８とハウジング３２とを一体に組み付けるための第一スナップフィット係合部７２の係合作業（第一組付工程）と、ポンプボディ３０とハウジング３２とを一体に組み付けるための第二スナップフィット係合部７４の係合作業（第二組付工程）とをそれぞれ独立して行うことができるようになっている。従って、第一スナップフィット係合部７２の係合作業と第二スナップフィット係合部７４の係合作業とを容易且つ確実に行うことができると共に、ステータ２８を圧入収容穴５４に円滑且つ確実に圧入して収容することができる。これにより、モータ構造１０全体の組付作業性を向上させることができる。【選択図】図２
2008211960.tif 000002
【特許請求の範囲】
【請求項１】
回転磁界を発生可能なステータと、
モータ軸線方向一方側に開口を有すると共にモータ軸線方向に沿って形成されて前記ステータが圧入収容される圧入収容穴を有して構成されたモータボディと、
前記ステータに対しモータ軸線方向一方側に配置されたハウジングと、
前記ステータ及び前記ハウジングを一体的に組み付けるための第一スナップフィット係合手段と、
前記モータボディ及び前記ハウジングを一体的に組み付けるための第二スナップフィット係合手段と、
前記ハウジングに設けられ、前記第一スナップフィット係合手段によって前記ステータ及び前記ハウジングが一体的に組み付けられた状態にあるときに前記ステータの前記ハウジング側への相対移動を規制するための相対移動規制手段と、
を備えたことを特徴とするモータ構造。
【請求項２】
前記第一スナップフィット係合手段は、前記ステータの前記ハウジングに対し前記モータボディ側への相対移動を規制する構成とされていることを特徴とする請求項１に記載のモータ構造。
【請求項３】
回転磁界を発生可能なステータに対しモータ軸線方向一方側にハウジングを配置した状態で前記ステータを前記ハウジング側へ相対移動させて前記ステータを前記ハウジングに第一スナップフィット係合手段によって一体的に組み付けると共に、前記ステータの前記ハウジング側への相対移動を相対移動規制手段によって規制する第一組付工程と、
前記ハウジング及び前記ハウジングに一体的に組み付けられた前記ステータをモータボディ側へ相対移動させて前記ステータを前記モータボディにモータ軸線方向に沿って形成された圧入収容穴のモータ軸線方向一方側の開口から前記圧入収容穴に圧入収容すると共に、前記モータボディ及び前記ハウジングを第二スナップフィット係合手段によって一体的に組み付ける第二組付工程と、
を備えたことを特徴とするモータ構造の組付方法。
【請求項４】
回転磁界を発生可能なステータと、
モータ軸線方向一方側に開口を有すると共にモータ軸線方向に沿って形成されて前記ステータが収容される収容穴を有して構成されたモータボディと、
前記ステータに対しモータ軸線方向一方側に配置されたハウジングと、
前記ステータ及び前記ハウジングを一体的に組み付けるためのかしめ固定手段と、
前記モータボディ及び前記ハウジングを一体的に組み付けるためのスナップフィット係合手段と、
を備えたことを特徴とするモータ構造。
【請求項５】
前記かしめ固定手段は、
前記ステータ及び前記ハウジングの一方に形成され、互いにモータ軸線方向の異なる側を向く当接面及び係合面と、
前記ステータ及び前記ハウジングの他方に形成され、前記当接面と当接された被当接面と、
前記ステータ及び前記ハウジングの他方に形成され、モータ径方向にかしめられて前記係合面と係合されたかしめ片と、
を有して構成されたことを特徴とする請求項４に記載のモータ構造。
【請求項６】
前記係合面は、モータ径方向に対して傾斜するテーパ面とされていることを特徴とする請求項５に記載のモータ構造。
【請求項７】
回転磁界を発生可能なステータに対しモータ軸線方向一方側にハウジングを配置した状態で前記ステータを前記ハウジング側へ相対移動させて前記ステータを前記ハウジングにかしめ固定手段によって一体的に組み付ける第一組付工程と、
前記ハウジング及び前記ハウジングに一体的に組み付けられた前記ステータをモータボディ側へ相対移動させて前記ステータを前記モータボディにモータ軸線方向に沿って形成された収容穴のモータ軸線方向一方側の開口から前記収容穴に収容すると共に、前記モータボディ及び前記ハウジングをスナップフィット係合手段によって一体的に組み付ける第二組付工程と、
を備えたことを特徴とするモータ構造の組付方法。
【発明の詳細な説明】
【技術分野】
【０００１】
本発明は、モータ構造及びモータ構造の組付方法に係り、特に、例えばかしめ固定手段やスナップフィット係合手段等により各部材を一体的に組み付けるようにしたモータ構造及びモータ構造の組付方法に関する。
【背景技術】
【０００２】
従来、スナップフィット係合手段により各部材を一体的に組み付けるようにしたモータ構造及びモータ構造の組付方法としては、例えば、次のものがある（例えば、特許文献１、特許文献２参照）。例えば、特許文献１には、排水ポンプの各部材をスナップフィット係合手段により一体的に組み付ける例が開示されており、特許文献２には、電動送風機の各部材をスナップフィット係合手段により一体的に組み付ける例が開示されている。
【特許文献１】特開２００６−２５８０６８号公報
【特許文献２】特開２００５−２７３５８９号公報
【特許文献３】独国特許出願公開第１９９３４３８２号明細書
【発明の開示】
【発明が解決しようとする課題】
【０００３】
しかしながら、上記各例では、スナップフィット係合手段により各部材をワンタッチで一体的に組み付けることができるものの、モータ構造全体の組付作業性を向上させるためには改善の余地がある。
【０００４】
本発明は、上記事情に鑑みてなされたものであって、その目的は、組付作業性を向上させることができるモータ構造及びモータ構造の組付方法を提供することにある。
【課題を解決するための手段】
【０００５】
前記課題を解決するために、請求項１に記載のモータ構造は、回転磁界を発生可能なステータと、モータ軸線方向一方側に開口を有すると共にモータ軸線方向に沿って形成されて前記ステータが圧入収容される圧入収容穴を有して構成されたモータボディと、前記ステータに対しモータ軸線方向一方側に配置されたハウジングと、前記ステータ及び前記ハウジングを一体的に組み付けるための第一スナップフィット係合手段と、前記モータボディ及び前記ハウジングを一体的に組み付けるための第二スナップフィット係合手段と、前記ハウジングに設けられ、前記第一スナップフィット係合手段によって前記ステータ及び前記ハウジングが一体的に組み付けられた状態にあるときに前記ステータの前記ハウジング側への相対移動を規制するための相対移動規制手段と、を備えたことを特徴とする。
【０００６】
請求項１に記載のモータ構造では、上記構成により、例えば、以下の組付方法の如く組み付けを行うことができる。すなわち、先ず、回転磁界を発生可能なステータに対しモータ軸線方向一方側にハウジングを配置した状態でステータをハウジング側へ相対移動させてステータをハウジングに第一スナップフィット係合手段によって一体的に組み付ける。このとき、ステータのハウジング側への相対移動を相対移動規制手段によって規制する（第一組付工程）。
【０００７】
続いて、ハウジング及びこのハウジングに一体的に組み付けられたステータをモータボディ側へ相対移動させてステータをモータボディに形成された圧入収容穴の開口から圧入収容穴に圧入収容する。また、このとき、モータボディ及びハウジングを第二スナップフィット係合手段によって一体的に組み付ける（第二組付工程）。
【０００８】
このように、請求項１に記載のモータ構造では、第一スナップフィット係合手段及び第二スナップフィット係合手段によってステータとハウジング及びモータボディとハウジングをそれぞれワンタッチで一体的に組み付けることができるだけでなく、ステータとハウジングとを一体に組み付けるための第一スナップフィット係合手段の係合作業（第一組付工程）と、モータボディとハウジングとを一体に組み付けるための第二スナップフィット係合手段の係合作業（第二組付工程）とをそれぞれ独立して行うことができる。従って、第一スナップフィット係合手段の係合作業と第二スナップフィット係合手段の係合作業とを同時に行う必要があるモータ構造に比して、各係合作業を容易且つ確実に行うことができる。
【０００９】
しかも、請求項１に記載のモータ構造によれば、ステータと一体的に組み付けられたハウジングにモータボディ側へ荷重を加えることでステータを圧入収容穴に圧入する場合でも、ステータに作用するハウジング側への荷重（反作用の荷重）を相対移動規制手段で受けることで、ステータがハウジング側へ相対移動されることを抑制することができる。また、このときには、ハウジングに加えられた荷重を相対移動規制手段を介してステータに伝達することができる。従って、ステータを圧入収容穴に円滑且つ確実に圧入して収容することができる。
【００１０】
以上詳述したように、請求項１に記載のモータ構造によれば、第一スナップフィット係合手段の係合作業と第二スナップフィット係合手段の係合作業とを容易且つ確実に行うことができると共に、ステータを圧入収容穴に円滑且つ確実に圧入して収容することができる。これにより、モータ構造全体の組付作業性を向上させることができる。
【００１１】
請求項２に記載のモータ構造は、請求項１に記載のモータ構造において、前記第一スナップフィット係合手段は、前記ステータの前記ハウジングに対し前記モータボディ側への相対移動を規制する構成とされていることを特徴とする。
【００１２】
請求項２に記載のモータ構造では、相対移動規制手段によってステータのハウジング側への相対移動を規制することができ、第一スナップフィット係合手段によってステータのハウジングに対しモータボディ側への相対移動を規制することができる。つまり、相対移動規制手段及び第一スナップフィット係合手段によってステータがハウジングに対しモータ軸線方向に相対移動されることを抑制することができる。これにより、モータ構造の組付後においてステータとハウジングのガタを防止することができる。
【００１３】
また、前記課題を解決するために、請求項３に記載のモータ構造の組付方法は、回転磁界を発生可能なステータに対しモータ軸線方向一方側にハウジングを配置した状態で前記ステータを前記ハウジング側へ相対移動させて前記ステータを前記ハウジングに第一スナップフィット係合手段によって一体的に組み付けると共に、前記ステータの前記ハウジング側への相対移動を相対移動規制手段によって規制する第一組付工程と、前記ハウジング及び前記ハウジングに一体的に組み付けられた前記ステータをモータボディ側へ相対移動させて前記ステータを前記モータボディにモータ軸線方向に沿って形成された圧入収容穴のモータ軸線方向一方側の開口から前記圧入収容穴に圧入収容すると共に、前記モータボディ及び前記ハウジングを第二スナップフィット係合手段によって一体的に組み付ける第二組付工程と、を備えたことを特徴とする。
【００１４】
請求項３に記載のモータ構造の組付方法では、第一スナップフィット係合手段及び第二スナップフィット係合手段によってステータとハウジング及びモータボディとハウジングをそれぞれワンタッチで一体的に組み付けることができるだけでなく、ステータとハウジングとを一体に組み付けるための第一スナップフィット係合手段の係合作業（第一組付工程）と、モータボディとハウジングとを一体に組み付けるための第二スナップフィット係合手段の係合作業（第二組付工程）とをそれぞれ独立して行うことができる。従って、第一スナップフィット係合手段の係合作業と第二スナップフィット係合手段の係合作業とを同時に行う必要があるモータ構造に比して、各係合作業を容易且つ確実に行うことができる。
【００１５】
しかも、請求項３に記載のモータ構造の組付方法によれば、ステータと一体的に組み付けられたハウジングにモータボディ側へ荷重を加えることでステータを圧入収容穴に圧入する場合でも、ステータに作用するハウジング側への荷重（反作用の荷重）を相対移動規制手段で受けることで、ステータがハウジング側へ相対移動されることを抑制することができる。また、このときには、ハウジングに加えられた荷重を相対移動規制手段を介してステータに伝達することができる。従って、ステータを圧入収容穴に円滑且つ確実に圧入して収容することができる。
【００１６】
このように、請求項３に記載のモータ構造の組付方法によれば、第一スナップフィット係合手段の係合作業と第二スナップフィット係合手段の係合作業とを容易且つ確実に行うことができると共に、ステータを圧入収容穴に円滑且つ確実に圧入して収容することができる。これにより、モータ構造全体の組付作業性を向上させることができる。
【００１７】
また、前記課題を解決するために、請求項４に記載のモータ構造は、回転磁界を発生可能なステータと、モータ軸線方向一方側に開口を有すると共にモータ軸線方向に沿って形成されて前記ステータが収容される収容穴を有して構成されたモータボディと、前記ステータに対しモータ軸線方向一方側に配置されたハウジングと、前記ステータ及び前記ハウジングを一体的に組み付けるためのかしめ固定手段と、前記モータボディ及び前記ハウジングを一体的に組み付けるためのスナップフィット係合手段と、を備えたことを特徴とする。
【００１８】
請求項４に記載のモータ構造では、上記構成により、例えば、以下の組付方法の如く組み付けを行うことができる。すなわち、先ず、回転磁界を発生可能なステータに対しモータ軸線方向一方側にハウジングを配置した状態でステータをハウジング側へ相対移動させてステータをハウジングにかしめ固定手段によって一体的に組み付ける（第一組付工程）。
【００１９】
続いて、ハウジング及びこのハウジングに一体的に組み付けられたステータをモータボディ側へ相対移動させてステータをモータボディに形成された収容穴の開口から収容穴に収容する。また、このとき、モータボディ及びハウジングをスナップフィット係合手段によって一体的に組み付ける（第二組付工程）。
【００２０】
このように、請求項４に記載のモータ構造では、かしめ固定手段及びスナップフィット係合手段によってステータとハウジング及びモータボディとハウジングをそれぞれ簡単な作業で一体的に組み付けることができるだけでなく、ステータとハウジングとを一体に組み付けるためのかしめ固定手段のかしめ固定作業（第一組付工程）と、モータボディとハウジングとを一体に組み付けるためのスナップフィット係合手段の係合作業（第二組付工程）とをそれぞれ独立して行うことができる。従って、各作業を容易且つ確実に行うことができる。これにより、モータ構造全体の組付作業性を向上させることができる。
【００２１】
しかも、請求項４に記載のモータ構造によれば、ステータとハウジングとをかしめ固定手段によって強固に固定することで、ステータをモータボディの収容穴に圧入することを不要にできる。これにより、例えば、モータボディを樹脂で構成した場合でも、モータボディと他の部材との溶着部に応力が生じて溶着部が外れてしまったり、モータボディにクリープが生じたりすることを防止できる。
【００２２】
請求項５に記載のモータ構造は、請求項４に記載のモータ構造において、前記かしめ固定手段は、前記ステータ及び前記ハウジングの一方に形成され、互いにモータ軸線方向の異なる側を向く当接面及び係合面と、前記ステータ及び前記ハウジングの他方に形成され、前記当接面と当接された被当接面と、前記ステータ及び前記ハウジングの他方に形成され、モータ径方向にかしめられて前記係合面と係合されたかしめ片と、を有して構成されたことを特徴とする。
【００２３】
請求項５に記載のモータ構造では、ステータ及びハウジングの一方に形成された当接面に、ステータ及びハウジングの他方に形成された被当接面が当接されると共に、ステータ及びハウジングの一方に形成された係合面に、ステータ及びハウジングの他方に形成されたかしめ片が係合されることで、ステータのハウジング側への相対移動及びステータのハウジングに対しモータボディ側への相対移動を規制することができる。つまり、かしめ固定手段によってステータがハウジングに対しモータ軸線方向に相対移動されることを抑制することができる。これにより、モータ構造の組付後においてステータとハウジングのガタを防止することができる。
【００２４】
請求項６に記載のモータ構造は、請求項５に記載のモータ構造において、前記係合面は、モータ径方向に対して傾斜するテーパ面とされていることを特徴とする。
【００２５】
請求項６に記載のモータ構造では、係合面がモータ径方向に対して傾斜するテーパ面とされているので、かしめ片がモータ径方向にかしめられるに従ってかしめ片と係合面とをより強固に係合することができる。
【００２６】
また、前記課題を解決するために、請求項７に記載のモータ構造の組付方法は、回転磁界を発生可能なステータに対しモータ軸線方向一方側にハウジングを配置した状態で前記ステータを前記ハウジング側へ相対移動させて前記ステータを前記ハウジングにかしめ固定手段によって一体的に組み付ける第一組付工程と、前記ハウジング及び前記ハウジングに一体的に組み付けられた前記ステータをモータボディ側へ相対移動させて前記ステータを前記モータボディにモータ軸線方向に沿って形成された収容穴のモータ軸線方向一方側の開口から前記収容穴に収容すると共に、前記モータボディ及び前記ハウジングをスナップフィット係合手段によって一体的に組み付ける第二組付工程と、を備えたことを特徴とする。
【００２７】
請求項７に記載のモータ構造の組付方法では、かしめ固定手段及びスナップフィット係合手段によってステータとハウジング及びモータボディとハウジングをそれぞれ簡単な作業で一体的に組み付けることができるだけでなく、ステータとハウジングとを一体に組み付けるためのかしめ固定手段のかしめ固定作業（第一組付工程）と、モータボディとハウジングとを一体に組み付けるためのスナップフィット係合手段の係合作業（第二組付工程）とをそれぞれ独立して行うことができる。従って、各作業を容易且つ確実に行うことができる。これにより、モータ構造全体の組付作業性を向上させることができる。
【００２８】
しかも、請求項７に記載のモータ構造の組付方法によれば、ステータとハウジングとをかしめ固定手段によって強固に固定することで、ステータをモータボディの収容穴に圧入することを不要にできる。これにより、例えば、モータボディを樹脂で構成した場合でも、モータボディと他の部材との溶着部に応力が生じて溶着部が外れてしまったり、モータボディにクリープが生じたりすることを防止できる。
【発明を実施するための最良の形態】
【００２９】
以下、本発明のモータ構造を流体ポンプ装置に適用した例について説明する。
【００３０】
［第一実施形態］
図１には、本発明の第一実施形態に係るモータ構造１０が適用された流体ポンプ装置Ｐ１の全体構成を示す側面断面図、図２，図３には、本発明の第一実施形態に係るモータ構造１０の分解斜視図、図４には、図２の要部拡大図がそれぞれ示されている。
【００３１】
はじめに、本発明の第一実施形態に係るモータ構造１０が適用された流体ポンプ装置Ｐ１の構成について説明する。
【００３２】
本発明の第一実施形態に係るモータ構造１０が適用された流体ポンプ装置Ｐ１は、例えば、自動車のエンジン冷却装置用の電動ウォータポンプとして好適に用いられるものであり、モータ軸線方向に並んで配置されたポンプ部１２及びモータ部１４を備えている。
【００３３】
ポンプ部１２は、概略凹状の円盤状に構成されたポンプハウジング１６を有して構成されている。このポンプハウジング１６の凹状部の内側は、ポンプ室１８として構成されている。また、ポンプハウジング１６には、接線方向に沿って吸入口２０及び排出口２２が設けられている。この吸入口２０及び排出口２２は、いずれもポンプ室１８と連通されている。
【００３４】
ポンプ室１８には、複数の羽根２４を有して構成されたインペラ２６が回転可能に配置されている。インペラ２６は、回転に伴って吸入口２０より流体を吸入すると共にポンプ室１８の流体を径方向外側に搬送して排出口２２から外部に排出するように構成されている。
【００３５】
モータ部１４は、本発明の第一実施形態に係るモータ構造１０を備えた構成とされており、ステータ２８と、モータボディとしてのポンプボディ３０と、ハウジング３２と、ロータ３４と、制御回路３５と、を有して構成されている。
【００３６】
ステータ２８は、モータ軸線方向に貫通形成された孔部３６を有する環状に構成されており、コア、コイル等を一体的に備えている。ステータ２８のハウジング３２側には、ハウジング３２側に突出する環状の周壁部４０が形成されており、この周壁部４０には、径方向（板厚方向）に貫通する係合孔４２が形成されている。
【００３７】
ポンプボディ３０は、内筒部４３と外筒部４４を備えている。内筒部４３の底部４８には、支持部５０が設けられており、この支持部５０には、モータ軸線方向に沿って配置された回転シャフト５２が支持されている。
【００３８】
また、ポンプボディ３０において、内筒部４３と外筒部４４との間は、環状の圧入収容穴５４として構成されている。圧入収容穴５４は、ハウジング３２側（モータ軸線方向一方側；Ｚ１側）に開口５６を有すると共にモータ軸線方向に沿って形成されている。そして、この圧入収容穴５４には、ステータ２８の孔部３６に内筒部４３が圧入された状態でステータ２８が圧入収容される。また、外筒部４４におけるハウジング３２側の部位には、径方向外側に突出する係合突起６０が形成されている。
【００３９】
ハウジング３２は、ステータ２８に対しモータ軸線方向一方側（Ｚ１側）に配置されている。このハウジング３２は、ポンプボディ３０の外筒部４４の開口５７を塞ぐ概略円盤状の本体部６２を有して構成されている。本体部６２には、ステータ２８側（モータ軸線方向他方側；Ｚ２側）に向けて延出された第一係合片６４及び第二係合片６６が設けられている。第一係合片６４及び第二係合片６６は、それぞれ舌片状に構成されて本体部６２に対し径方向に弾性変形可能な構成とされている。第一係合片６４には、径方向外側に突出する係合突起６８が形成されており、第二係合片６６には、板厚方向（ハウジング３２の径方向）に貫通する係合孔７０が形成されている。
【００４０】
第一係合片６４の係合突起６８は、上述のステータ２８に設けられた係合孔４２と係合可能に構成されており、第二係合片６６の係合孔７０は、上述のポンプボディ３０に設けられた係合突起６０と係合可能に構成されている。なお、本実施形態では、第一係合片６４と係合孔４２とで第一スナップフィット係合手段としての第一スナップフィット係合部７２が構成されており、第二係合片６６と係合突起６０とで第二スナップフィット係合手段としての第二スナップフィット係合部７４が構成されている。
【００４１】
また、ハウジング３２の本体部６２には、ステータ２８側（モータ軸線方向他方側；Ｚ２側）に向けて延出されたストッパ７６が設けられている。ストッパ７６は、その長手方向（モータ軸線方向）中間部に段部７８を備えた構成とされている。
【００４２】
ロータ３４は、ポンプボディ３０に設けられた内筒部４３内に回転可能に配置されており、回転シャフト５２に軸受部材５３を介して回転可能に支持されている。
【００４３】
制御回路３５は、ステータ２８に設けられたコイルと電気的に接続されており、コネクタ８２を介して接続された外部制御装置から出力された制御信号に応じてステータ２８のコイルに電流を供給する構成とされている。
【００４４】
そして、この流体ポンプ装置Ｐ１では、外部制御装置から制御信号が出力されると、ステータ２８が回転磁界を発生し、この回転磁界によってロータ３４と共にインペラ２６が回転し、外部から吸入口２０を介してポンプ室１８へ流体が吸入されると共に、ポンプ室１８の流体が排出口２２を介して外部へ排出される構成とされている。
【００４５】
次に、本発明の第一実施形態に係るモータ構造１０が適用された流体ポンプ装置Ｐ１の組付方法と併せてその作用及び効果について説明する。
【００４６】
本発明の第一実施形態に係るモータ構造１０が適用された流体ポンプ装置Ｐ１では、上記構成により、例えば、以下の組付方法の如く組み付けを行うことができる。すなわち、先ず、図２に示されるように、ステータ２８に制御回路３５を組み付けた状態で、ステータ２８に対しモータ軸線方向一方側（Ｚ１側）にハウジング３２を配置する。この状態で、矢印Ａで示される如く、ステータ２８をハウジング３２側（Ｚ１側）へ相対移動させる。そして、図３に示されるように、ステータ２８をハウジング３２に第一スナップフィット係合部７２によって一体的に組み付ける。つまり、ステータ２８の係合孔４２にハウジング３２の第一係合片６４に設けられた係合突起６８を係合させる。
【００４７】
このとき、図１に示されるように、ステータ２８のハウジング３２側の端面の周縁部８０をストッパ７６の段部７８に当接させる。そして、ステータ２８のハウジング３２側（Ｚ１側）への相対移動をストッパ７６によって規制する（第一組付工程）。
【００４８】
続いて、図３の矢印Ｂで示される如く、ハウジング３２及びこのハウジング３２に一体的に組み付けられたステータ２８をポンプボディ３０側（Ｚ２側）へ相対移動させる。そして、図１に示されるように、ステータ２８を開口５６から圧入収容穴５４に圧入収容する。また、このとき、ポンプボディ３０及びハウジング３２を第二スナップフィット係合部７４によって一体的に組み付ける。つまり、ポンプボディ３０の係合突起６０にハウジング３２の第二係合片６６に設けられた係合孔７０を係合させる（第二組付工程）。
【００４９】
そして、このようにして組み付けられたモータ構造１０に、回転シャフト５２、ロータ３４、ポンプハウジング１６等を順次組み付けて流体ポンプ装置Ｐ１の組み付けを完了する。
【００５０】
このように、本発明の第一実施形態に係るモータ構造１０が適用された流体ポンプ装置Ｐ１では、第一スナップフィット係合部７２及び第二スナップフィット係合部７４によってステータ２８とハウジング３２及びポンプボディ３０とハウジング３２をそれぞれワンタッチで一体的に組み付けることができるだけでなく、ステータ２８とハウジング３２とを一体に組み付けるための第一スナップフィット係合部７２の係合作業（第一組付工程）と、ポンプボディ３０とハウジング３２とを一体に組み付けるための第二スナップフィット係合部７４の係合作業（第二組付工程）とをそれぞれ独立して行うことができる。従って、各係合作業を容易且つ確実に行うことができる。
【００５１】
しかも、本発明の第一実施形態に係るモータ構造１０が適用された流体ポンプ装置Ｐ１によれば、ステータ２８と一体的に組み付けられたハウジング３２にポンプボディ３０側（Ｚ２側）へ荷重を加えることでステータ２８を圧入収容穴５４に圧入する場合でも、ステータ２８に作用するハウジング３２側（Ｚ１側）への荷重（反作用の荷重）をストッパ７６で受けることで、ステータ２８がハウジング３２側（Ｚ１側）へ相対移動されることを抑制することができる。また、このときには、ハウジング３２に加えられた荷重をストッパ７６を介してステータ２８に伝達することができる。従って、ステータ２８を圧入収容穴５４に円滑且つ確実に圧入して収容することができる。
【００５２】
ここで、本発明の第一実施形態に係るモータ構造１０の作用効果をより明確にするために比較例と比較する。図１１，図１２には、比較例に係るモータ構造２１０の分解斜視図が示されている。これらの図に示されるように、比較例に係るモータ構造２１０では、本発明の第一実施形態に係るモータ構造１０に対しストッパ７６が省略されている。なお、比較例に係るモータ構造２１０は、ストッパ７６が省略された以外の構成については本発明の第一実施形態に係るモータ構造１０と同一の構成とされている。従って、図１１，図１２では、便宜上、比較例に係るモータ構造２１０において、本発明の第一実施形態に係るモータ構造１０と同一の構成については同一の符号を用いてある。
【００５３】
この比較例に係るモータ構造２１０では、上記構成により、例えば、以下の組付方法の如く組み付けを行う必要がある。すなわち、先ず、図１１に示されるように、ステータ２８に対しモータ軸線方向他方側（Ｚ２側）にポンプボディ３０を配置した状態で、矢印Ｃで示される如く、制御回路３５が組み付けられたステータ２８をポンプボディ３０側（Ｚ２側）へ相対移動させる。そして、図１２に示されるように、ステータ２８を開口５６から圧入収容穴５４に圧入収容する（第一組付工程）。
【００５４】
続いて、図１２の矢印Ｄで示される如く、ハウジング３２をポンプボディ３０側（Ｚ２側）へ相対移動させる。そして、ハウジング３２をステータ２８に第一スナップフィット係合部７２によって一体的に組み付ける。また、これと同時に、ハウジング３２をポンプボディ３０に第二スナップフィット係合部７４によって一体的に組み付ける（第二組付工程）。
【００５５】
このように、比較例に係るモータ構造１０では、ステータ２８及びハウジング３２を同一方向に移動させており、ポンプボディ３０にステータ２８を予め一体的に組み付けてからポンプボディ３０及びステータ２８とハウジング３２とを一体的に組み付けている。従って、第一スナップフィット係合部７２の係合作業と第二スナップフィット係合部７４の係合作業とを同時に行う必要がある。
【００５６】
なお、第一スナップフィット係合部７２の係合作業と第二スナップフィット係合部７４の係合作業とを同時に行う場合には、いずれか一方のスナップフィット係合部において正常な係合状態が得られない（係合不良の発生）場合が考えられる。また、一方又は双方のスナップフィット係合部に正常な係合状態が得られるようにするための隙間等を設けることも考えられるが、このようにした場合には、スナップフィット係合部におけるガタツキ等の発生が懸念される。さらに、制御回路３５が組み付けられたステータ２８をハウジング３２に組み付ける前にポンプボディ３０の圧入収容穴５４に圧入すると、ステータ２８に組み付けられた制御回路３５とハウジング３２からのターミナルとの結線のために制御回路３５に（メス）端子を追加する必要があるなどコストアップとなる。
【００５７】
これに対し、本発明の第一実施形態に係るモータ構造１０が適用された流体ポンプ装置Ｐ１では、ステータ２８の移動方向がハウジング３２への組付時とポンプボディ３０への組付時とで異なり（比較例と移動方向が相違する）、ステータ２８とハウジング３２とを一体に組み付けるための第一スナップフィット係合部７２の係合作業（第一組付工程）と、ポンプボディ３０とハウジング３２とを一体に組み付けるための第二スナップフィット係合部７４の係合作業（第二組付工程）とをそれぞれ独立して行うことができる（比較例と組付順序が相違する）。従って、比較例に係るモータ構造２１０が適用された場合のように、第一スナップフィット係合部７２の係合作業と第二スナップフィット係合部７４の係合作業とを同時に行う必要がある場合に比して、各係合作業を容易且つ確実に行うことができる。
【００５８】
以上詳述したように、本発明の第一実施形態に係るモータ構造１０が適用された流体ポンプ装置Ｐ１によれば、第一スナップフィット係合部７２の係合作業と第二スナップフィット係合部７４の係合作業とを容易且つ確実に行うことができると共に、ステータ２８を圧入収容穴５４に円滑且つ確実に圧入して収容することができる。これにより、モータ構造１０全体の組付作業性、ひいては、流体ポンプ装置Ｐ１全体の組付作業性を向上させることができる。
【００５９】
また、本発明の第一実施形態に係るモータ構造１０が適用された流体ポンプ装置Ｐ１では、第一スナップフィット係合部７２の係合作業と第二スナップフィット係合部７４の係合作業とをそれぞれ独立して行うことにより、いずれか一方のスナップフィット係合部において正常な係合状態が得られない事態が生じること（係合不良の発生）も防止できる。また、一方又は双方のスナップフィット係合部に正常な係合状態が得られるようにするための隙間等を設ける必要が無く、ガタツキ等の発生しない確実な係合状態を得ることができる。さらに、制御回路３５が組み付けられたステータ２８をハウジング３２に組み付けた後にポンプボディ３０の圧入収容穴５４に圧入するので、ステータ２８に組み付けられた制御回路３５とハウジング３２からのターミナルとの結線のために制御回路３５に（メス）端子を追加する必要がなく半田付け等により結線できるのでコストアップを防止できる。
【００６０】
また、本発明の第一実施形態に係るモータ構造１０が適用された流体ポンプ装置Ｐ１では、ストッパ７６によってステータ２８のハウジング３２側（Ｚ１側）への相対移動を規制することができ、第一スナップフィット係合部７２によってステータ２８のハウジング３２に対しモータボディ側（Ｚ２側）への相対移動を規制することができる。つまり、ストッパ７６及び第一スナップフィット係合部７２によってステータ２８がハウジング３２に対しモータ軸線方向に相対移動されることを抑制することができる。これにより、流体ポンプ装置Ｐ１の組付後においてステータ２８とハウジング３２のガタを防止することができる。
【００６１】
次に、本発明の第一実施形態に係るモータ構造１０が適用された流体ポンプ装置Ｐ１の変形例について説明する。
【００６２】
上記実施形態では、ハウジング３２に第一係合片６４が形成されると共にステータ２８に係合孔４２が形成されて第一スナップフィット係合部７２が構成されていたが、ステータ２８に第一係合片６４が形成されると共にハウジング３２に係合孔４２が形成されて第一スナップフィット係合部７２が構成されていても良い。
【００６３】
同様に、上記実施形態では、ハウジング３２に第二係合片６６が形成されると共にポンプボディ３０に係合突起６０が形成されて第二スナップフィット係合部７４が構成されていたが、ポンプボディ３０に第二係合片６６が形成されると共にハウジング３２に係合突起６０が形成されて第二スナップフィット係合部７４が構成されていても良い。
【００６４】
また、上記実施形態では、第一スナップフィット係合部７２が係合突起６８を有する第一係合片６４と係合孔４２を備えた構成（つまり、一方が弾性係合片）とされていたが、その他にも、例えば、係合突起をそれぞれ有し互いに係合可能な弾性係合片を備えた構成（つまり、双方が弾性係合片）とされていても良い。
【００６５】
同様に、上記実施形態では、第二スナップフィット係合部７４が係合孔７０を有する第二係合片６６と係合突起６０を備えた構成（つまり、一方が弾性係合片）とされていたが、その他にも、例えば、係合突起をそれぞれ有し互いに係合可能な弾性係合片を備えた構成（つまり、双方が弾性係合片）とされていても良い。
【００６６】
また、上記実施形態では、第一スナップフィット係合部７２によってステータ２８及びハウジング３２が一体的に組み付けられた状態にあるときにステータ２８のハウジング３２側（Ｚ１側）への相対移動を規制するためにストッパ７６が設けられていたが、ストッパ７６以外の構成が用いられていても良い。
【００６７】
［第二実施形態］
図５には、本発明の第二実施形態に係るモータ構造１１０が適用された流体ポンプ装置Ｐ２の全体構成を示す側面断面図、図６，図７には、本発明の第二実施形態に係るモータ構造１１０の分解斜視図、図８には、本発明の第二実施形態に係るモータ構造１１０におけるステータ２８とハウジング３２の組付側面図、図９，図１０には、図８の９−９線断面図、図８の１０−１０線断面図がそれぞれ示されている。
【００６８】
はじめに、本発明の第二実施形態に係るモータ構造１１０が適用された流体ポンプ装置Ｐ２の構成について説明する。
【００６９】
本発明の第二実施形態に係るモータ構造１１０が適用された流体ポンプ装置Ｐ２は、上述の本発明の第一実施形態に係るモータ構造１０が適用された流体ポンプ装置Ｐ１に対し、第一スナップフィット係合部７２及びストッパ７６を廃止し、その代わりに、かしめ固定手段としてのかしめ固定部１７２を備えたものである。
【００７０】
なお、流体ポンプ装置Ｐ２において、流体ポンプ装置Ｐ１と同様な構成には、便宜上、同一符合を用いてある。また、第二スナップフィット係合部７４については、本発明の第二実施形態に係るモータ構造１１０では、スナップフィット係合部７４と称することとする。
【００７１】
図６に示されるように、ステータ２８の外周部におけるハウジング３２側（モータ軸線方向一方側；Ｚ１側）の端部には、ハウジング３２側に向けてスカート部１４１が延設されている。スカート部１４１は、ステータ２８の外周部のモータ周方向に離間した複数（本実施形態では、二箇所）の位置に設けられている。スカート部１４１におけるハウジング３２側の部分には、モータ周方向に対向するように舌片状のかしめ片１４２が一対形成されている。
【００７２】
一方、ハウジング３２の外周部には、スカート部１４１と対応する位置に凹部１６４が設けられている。この凹部１６４におけるステータ２８側に位置されてモータ軸線方向一方側（Ｚ１側）を向く側壁部１６８（本発明における係合面に相当）は、上述のかしめ片１４２がモータ径方向内側にかしめられて係合される構成とされている。この側壁部１６８は、図９に示されるように、モータ径方向（Ｒ方向）に対して傾斜するテーパ面とされている。なお、より具体的には、側壁部１６８は、モータ径方向内側（Ｒ１側）に向かうに従ってモータ軸線方向一方側（Ｚ１側）に向かうように傾斜されている。
【００７３】
また、図６に示されるように、上述の凹部１６４に対するモータ周方向の両側には、ステータ２８側（モータ軸線方向他方側；Ｚ２側）を向く段部１７６（本発明における当接面に相当）が形成されている。この段部１７６は、ステータ２８とハウジング３２とを一体的に組み付ける際に、スカート部１４１におけるハウジング３２側の端面１８０（本発明における被当接面に相当）と当接される構成とされている。
【００７４】
そして、本発明の第二実施形態に係るモータ構造１１０では、上述のかしめ片１４２、側壁部１６８、段部１７６、端面１８０によってかしめ固定部１７２が構成されている。
【００７５】
なお、図５に示されるように、本発明の第二実施形態に係るモータ構造１１０において、ポンプボディ３０における内筒部４３と外筒部４４との間は、上述のステータ２８が圧入されずに収容される環状の収容穴１５４として構成されている。この収容穴１５４は、ハウジング３２側（モータ軸線方向一方側；Ｚ１側）に開口１５６を有すると共にモータ軸線方向に沿って形成されている。
【００７６】
次に、本発明の第二実施形態に係るモータ構造１１０が適用された流体ポンプ装置Ｐ２の組付方法と併せてその作用及び効果について説明する。
【００７７】
本発明の第二実施形態に係るモータ構造１１０が適用された流体ポンプ装置Ｐ２では、上記構成により、例えば、以下の組付方法の如く組み付けを行うことができる。すなわち、先ず、図６に示されるように、ステータ２８に制御回路３５を組み付けた状態で、ステータ２８に対しモータ軸線方向一方側（Ｚ１側）にハウジング３２を配置する。この状態で、矢印Ａで示される如く、ステータ２８をハウジング３２側（Ｚ１側）へ相対移動させる。そして、図７，図８に示されるように、ステータ２８をハウジング３２にかしめ固定部１７２によって一体的に組み付ける。つまり、スカート部１４１のハウジング３２側の端面１８０を段部１７６に当接させ、この状態で、図９，図１０に示されるように、かしめ片１４２をモータ径方向内側にかしめて側壁部１６８とモータ軸線方向に係合させる（第一組付工程）。
【００７８】
続いて、図７の矢印Ｂで示される如く、ハウジング３２及びこのハウジング３２に一体的に組み付けられたステータ２８をポンプボディ３０側（Ｚ２側）へ相対移動させる。そして、図５に示されるように、ステータ２８を開口１５６から収容穴１５４に収容する。また、このとき、ポンプボディ３０及びハウジング３２を図７に示されるスナップフィット係合部７４によって一体的に組み付ける。つまり、ポンプボディ３０の係合突起６０にハウジング３２の第二係合片６６に設けられた係合孔７０を係合させる（第二組付工程）。
【００７９】
そして、このようにして組み付けられたモータ構造１１０に、回転シャフト５２、ロータ３４、ポンプハウジング１６等を順次組み付けて流体ポンプ装置Ｐ２の組み付けを完了する。
【００８０】
このように、本発明の第二実施形態に係るモータ構造１１０が適用された流体ポンプ装置Ｐ２では、かしめ固定部１７２及びスナップフィット係合部７４によってステータ２８とハウジング３２及びポンプボディ３０とハウジング３２をそれぞれ簡単な作業で一体的に組み付けることができるだけでなく、ステータ２８とハウジング３２とを一体に組み付けるためのかしめ固定部１７２の固定作業（第一組付工程）と、ポンプボディ３０とハウジング３２とを一体に組み付けるためのスナップフィット係合部７４の係合作業（第二組付工程）とをそれぞれ独立して行うことができる。従って、各作業を容易且つ確実に行うことができる。これにより、モータ構造１１０全体の組付作業性を向上させることができる。
【００８１】
しかも、本発明の第二実施形態に係るモータ構造１１０が適用された流体ポンプ装置Ｐ２によれば、ステータ２８とハウジング３２とをかしめ固定部１７２によって強固に固定することで、ステータ２８をポンプボディ３０の収容穴１５４に圧入することを不要にできる。これにより、例えば、ポンプボディ３０を樹脂で構成した場合でも、図５，図７に示されるポンプボディ３０とポンプハウジング１６との溶着部１８４に応力が生じて溶着部１８４が外れてしまったり、ポンプボディ３０にクリープが生じたりすることを防止できる。
【００８２】
また、本発明の第二実施形態に係るモータ構造１１０が適用された流体ポンプ装置Ｐ２では、ハウジング３２に形成された段部１７６に、ステータ２８に形成されたスカート部１４１の端面１８０が当接されると共に、ハウジング３２に形成された側壁部１６８に、ステータ２８に形成されたかしめ片１４２が係合されることで、ステータ２８のハウジング３２側への相対移動及びステータ２８のハウジング３２に対しポンプボディ３０側への相対移動を規制することができる。つまり、かしめ固定部１７２によってステータ２８がハウジング３２に対しモータ軸線方向に相対移動されることを抑制することができる。これにより、モータ構造１１０の組付後においてステータ２８とハウジング３２のガタを防止することができる。
【００８３】
また、本発明の第二実施形態に係るモータ構造１１０が適用された流体ポンプ装置Ｐ２では、側壁部１６８がモータ径方向に対して傾斜するテーパ面とされているので、かしめ片１４２がモータ径方向にかしめられるに従ってかしめ片１４２と側壁部１６８とをより強固に係合することができる。
【００８４】
次に、本発明の第二実施形態に係るモータ構造１１０が適用された流体ポンプ装置Ｐ２の変形例について説明する。
【００８５】
上記実施形態では、ハウジング３２に段部１７６が形成され、ステータ２８に段部１７６と当接される端面１８０が形成されていたが、その逆、つまり、ステータ２８に段部１７６が形成され、ハウジング３２に段部１７６と当接される端面１８０が形成されていても良い。また、ハウジング３２に側壁部１６８が形成され、ステータ２８にかしめ片１４２が形成されていたが、その逆、つまり、ステータ２８に側壁部１６８が形成され、ハウジング３２にかしめ片１４２が形成されていても良い。
【００８６】
また、上記実施形態において、かしめ固定部１７２は、かしめ片１４２を備えた構成とされていたが、かしめ片１４２以外の構成を備えた構成とされていても良い。
【図面の簡単な説明】
【００８７】
【図１】本発明の第一実施形態に係るモータ構造が適用された流体ポンプ装置の全体構成を示す側面断面図である。
【図２】本発明の第一実施形態に係るモータ構造の分解斜視図である。
【図３】本発明の第一実施形態に係るモータ構造の分解斜視図である。
【図４】図２の要部拡大図である。
【図５】本発明の第二実施形態に係るモータ構造が適用された流体ポンプ装置の全体構成を示す側面断面図である。
【図６】本発明の第二実施形態に係るモータ構造の分解斜視図である。
【図７】本発明の第二実施形態に係るモータ構造の分解斜視図である。
【図８】本発明の第二実施形態に係るモータ構造におけるステータとハウジングの組付側面図である。
【図９】図８の９−９線断面図である。
【図１０】図８の１０−１０線断面図である。
【図１１】比較例に係るモータ構造の分解斜視図である。
【図１２】比較例に係るモータ構造の分解斜視図である。
【符号の説明】
【００８８】
１０，１１０…モータ構造、１２…ポンプ部、１４…モータ部、１６…ポンプハウジング、１８…ポンプ室、２０…吸入口、２２…排出口、２４…羽根、２６…インペラ、２８…ステータ、３０…ポンプボディ（モータボディ）、３２…ハウジング、３４…ロータ、３６…孔部、３８…凹部、４０…周壁部、４２…係合孔、４３…内筒部、４４…外筒部、４８…底部、５０…支持部、５２…回転シャフト、５３…軸受部材、５４…圧入収容穴、５６，５７…開口、６０…係合突起、６２…本体部、６４…第一係合片、６６…第二係合片、６８…係合突起、７０…係合孔、７２…第一スナップフィット係合部（第一スナップフィット係合手段）、７４…第二スナップフィット係合部（第二スナップフィット係合手段）、７６…ストッパ（相対移動規制手段）、７８…段部、８０…周縁部、１４１…スカート部、１４２…かしめ片、１５４…収容穴、１５６…開口、１６４…凹部、１６８…側壁部（係合面）、１７２…かしめ固定部（かしめ固定手段）、１７６…段部（当接面）、１８０…端面（被当接面）、１８４…溶着部、Ｐ１，Ｐ２…流体ポンプ装置
【図１】
2008211960.tif 000003
【図２】
2008211960.tif 000004
【図３】
2008211960.tif 000005
【図４】
2008211960.tif 000006
【図５】
2008211960.tif 000007
【図６】
2008211960.tif 000008
【図７】
2008211960.tif 000009
【図８】
2008211960.tif 000010
【図９】
2008211960.tif 000011
【図１０】
2008211960.tif 000012
【図１１】
2008211960.tif 000013
【図１２】
2008211960.tif 000014